(57)【要約】【課題】制御情報用チャネルの伝送容量を増やすタイムスロット割り当て構成を与え、さらに、その構成に対する効率的な通信制御を行う無線通信システム、基地局装置および端末装置を提供する。【解決手段】複数の基地局装置を含むエリアごとに１個以上の共通タイムスロットが隣接するエリア間で異なるように割り当てられ、共通タイムスロットのうちの１つ以上のタイムスロットによりエリア内の全ての基地局装置で共通のエリア共通情報を送信する第１送信手段と、共通タイムスロットを除いたタイムスロットでキャリアセンスを行うキャリアセンス手段と、キャリアセンスによって空きであると判定されたタイムスロットを選択する選択手段と、空きタイムスロットにて基地局装置に固有の制御信号をＫ個（Ｋ：正整数）のタイムスロット周期で間欠的に送信する第２送信手段と、を具備することを特徴とする。【選択図】図１
2008244654.tif 000002
【特許請求の範囲】
【請求項１】
複数の基地局装置を含むエリアごとに１個以上の共通タイムスロットが隣接するエリア間で異なるように割り当てられ、前記共通タイムスロットのうちの１つ以上のタイムスロットによりエリア内の全ての基地局装置で共通のエリア共通情報を送信する第１送信手段と、
前記共通タイムスロットを除いたタイムスロットでキャリアセンスを行うキャリアセンス手段と、
前記キャリアセンスによって空きであると判定されたタイムスロットを選択する選択手段と、
前記空きタイムスロットにて前記基地局装置に固有の制御信号をＫ個（Ｋ：正整数）のタイムスロット周期で間欠的に送信する第２送信手段と、を具備することを特徴とする基地局装置。
【請求項２】
前記エリア共通情報を送信するタイムスロット内に、自基地局装置の固有な情報を多重する多重手段をさらに具備することを特徴とする請求項１に記載の基地局装置。
【請求項３】
前記エリア共通情報には呼び出し端末情報が含まれ、前記呼び出し端末情報で指定されている端末装置から、前記固有な情報を含む応答信号を受信する受信手段と、
前記固有の情報が、自基地局装置が送信した信号に含まれている場合には、前記端末指定情報に指定されている端末装置に、自基地局装置の固有制御情報を送信する第３送信手段と、さらに具備することを特徴とする請求項２に記載の基地局装置。
【請求項４】
前記エリア共通情報には呼び出し端末情報が含まれ、前記呼び出し端末情報で指定されている端末装置から応答信号を受信する第１受信手段と、
前記応答信号を受信した場合には、該応答信号の受信状況を、複数の基地局装置を制御する制御装置に通知する通知手段と、
前記制御装置が複数の受信状況に応じて前記複数の基地局装置から１つの選択した基地局装置を選択基地局装置として前記端末装置と通信確立せよとの指示を含む指示信号を、自基地局装置が選択基地局装置に該当する場合には、前記制御装置から受信する第２受信手段と、
前記指示信号を受信した場合には、前記端末指定情報に指定されている端末装置に自基地局装置の固有制御情報を送信する第３送信手段と、をさらに具備することを特徴とする請求項１に記載の基地局装置。
【請求項５】
前記第１送信手段は、前記エリア内共通情報を送信する前記タイムスロット内の全ての送信信号が前記エリア内の全ての基地局装置で同一信号となるように、前記エリア内共通情報を送信することを特徴とする請求項１に記載の基地局装置。
【請求項６】
前記第１送信手段は、前記エリア内共通情報を送信する前記タイムスロット内の送信信号が、前記エリア内の全ての基地局装置で同一信号となる信号の第１部分と、基地局装置に固有な信号の第２部分とを含み、前記第１部分で前記エリア内共通情報を送信し、前記第２部分で基地局装置に固有な信号を送信することを特徴とする請求項１に記載の基地局装置。
【請求項７】
時間分割されたタイムスロットを用いて無線通信を行う、複数の基地局装置と端末装置を含む無線通信システムであって、
前記基地局装置は、それぞれ、
複数の基地局装置を含むエリアごとに１個以上の共通タイムスロットが隣接するエリア間で異なるように割り当てられ、基地局装置が属する前記エリアの共通タイムスロットによりエリア内の全ての基地局装置で共通のエリア共通情報として、１台以上の端末装置を指定する端末指定情報を送信する第１送信手段と、
基地局装置が属するエリアの前記共通タイムスロットを除いたタイムスロットでキャリアセンスを行うキャリアセンス手段と、
前記キャリアセンスによって空きであると判定された空きタイムスロットを選択する第１選択手段と、
前記空きタイムスロットで前記基地局装置に固有の制御信号をＫ個（Ｋ：正整数）のタイムスロット周期で間欠的に送信する第２送信手段と、を具備し、
前記端末装置は、
前記端末指定情報を受信する受信手段と、
前記端末指定情報に自端末装置が指定してある場合には、周辺にある複数の基地局装置から、接続する接続先基地局装置を選択する第２選択手段と、
前記接続先基地局装置に固有の制御信号を送信しているタイムスロットに対応しているタイムスロットで前記接続先基地局装置へ応答信号を送信する第３送信手段と、を具備することを特徴とする無線通信システム。
【請求項８】
時間分割されたタイムスロットを用いて無線通信を行う複数の基地局装置と端末装置とを含み、さらに該複数の基地局装置を制御する制御装置とを含む無線通信システムであって、
前記基地局装置は、それぞれ、
複数の基地局装置を含むエリアごとに１個以上の共通タイムスロットが隣接するエリア間で異なるように割り当てられ、前記共通タイムスロットのうちの１個以上のタイムスロットによりエリア内の全ての基地局装置で共通のエリア共通情報として、１台以上の端末装置を指定する端末指定情報を送信する第１送信手段と、
基地局装置が属するエリアの前記共通タイムスロットを除いたタイムスロットでキャリアセンスを行うキャリアセンス手段と、
前記キャリアセンスによって空きであると判定された空きタイムスロットを選択する第１選択手段と、
前記空きタイムスロットで前記基地局装置に固有の制御信号をＫ個（Ｋ：正整数）のタイムスロット周期で間欠的に送信する第２送信手段と、を具備し、
前記端末装置は、
前記端末指定情報を受信する第１受信手段と、
前記端末指定情報に自端末装置が指定してある場合には、周辺にある複数の基地局装置から、接続する接続先基地局装置を選択する第２選択手段と、
前記接続先基地局装置に端末指定情報を送信している下り回線のタイムスロットに対応する上り回線のタイムスロットで応答信号を送信する第３送信手段と、を具備し、
前記基地局装置は、それぞれ、
前記応答信号を受信する第２受信手段と、
前記応答信号を受信した場合には、該応答信号の受信状況を前記制御装置に送信する第４送信手段と、をさらに具備し、
前記制御装置は、
前記複数の基地局装置のそれぞれから受信状況を受信し、複数の受信状況を取得する取得手段と、
前記複数の受信状況に応じて前記複数の基地局装置から１つの基地局装置を選択基地局装置として選択する第３選択手段と、
前記選択基地局装置に前記端末装置と通信確立せよとの指示を含む指示信号を送信する第５送信手段と、を具備し、
前記基地局装置は、それぞれ、
前記指示信号を受信する第３受信手段と、
前記指示信号を受信した場合には、前記基地局装置が属するエリアの共通タイムスロット中の、前記エリア共通情報を送信するタイムスロットとは異なるタイムスロットにより前記端末指定情報に指定されている端末装置に自基地局装置の固有制御情報を送信する第６送信手段とをさらに具備することを特徴とする無線通信システム。
【請求項９】
時間分割されたタイムスロットを用いて無線通信を行う複数の基地局装置と端末装置とを含む無線通信システムであって、
前記基地局装置は、それぞれ、
複数の基地局装置を含むエリアごとに１個以上の共通タイムスロットが隣接するエリア間で異なるように割り当てられ、前記共通タイムスロットの送信信号が、前記エリア内の全ての基地局装置で同一信号となる信号の第１部分と、基地局装置に固有な信号の第２部分とを含み、前記第１部分でエリア内の全ての基地局装置で共通のエリア共通情報として、１台以上の端末装置を指定する端末指定情報を送信し、前記第２部分で基地局装置に固有な信号を送信する第１送信手段と、
基地局装置が属するエリアの前記共通タイムスロットを除いたタイムスロットでキャリアセンスを行うキャリアセンス手段と、
前記キャリアセンスによって空きであると判定された空きタイムスロットを選択する第１選択手段と、
前記空きタイムスロットで前記基地局装置に固有の制御信号をＫ個（Ｋ：正整数）のタイムスロット周期で間欠的に送信する第２送信手段と、を具備し、
前記端末装置は、
前記端末指定情報を受信する第１受信手段と、
前記第２部分にある基地局装置に固有な信号を受信する第２受信手段と、
前記端末指定情報に自端末装置が指定してある場合には、前記第２部分にある基地局装置に固有な信号に応じて周辺にある複数の基地局装置から、接続する接続先基地局装置を選択する第２選択手段と、
接続先基地局装置の前記第２部分にある固有な信号が送信されているタイムスロット位置で接続先基地局装置からの報知信号を受信する第３受信手段と、
前記報知信号を送信した接続先基地局装置に固有の制御信号を送信している下り回線のタイムスロットに対応する上り回線のタイムスロットで前記接続先基地局装置へ応答信号を送信する第３送信手段と、を具備することを特徴とする無線通信システム。
【請求項１０】
時間分割されたタイムスロットを用いて無線通信を行う複数の基地局装置と端末装置とを含む無線通信システムであって、
前記基地局装置は、それぞれ、
複数の基地局装置を含むエリアごとに１個以上の共通タイムスロットが隣接するエリア間で異なるように割り当てられ、前記共通タイムスロットのうちの１個以上のタイムスロット内の送信信号が、前記エリア内の全ての基地局装置で同一信号となる信号の第１部分と、基地局装置に固有な信号の第２部分とを含み、前記第１部分でエリア内の全ての基地局装置で共通のエリア共通情報として、１台以上の端末装置を指定する端末指定情報を送信し、前記第２部分で基地局装置に固有な信号を送信する第１送信手段と、
基地局装置が属するエリアの前記共通タイムスロットを除いたタイムスロットでキャリアセンスを行うキャリアセンス手段と、
前記キャリアセンスによって空きであると判定された空きタイムスロットを選択する第１選択手段と、
前記空きタイムスロットで前記基地局装置に固有の制御信号をＫ個（Ｋ：正整数）のタイムスロット周期で間欠的に送信する第２送信手段と、を具備し、
前記端末装置は、
前記端末指定情報を受信する第１受信手段と、
前記第２部分にある基地局装置に固有な信号を受信する第２受信手段と、
前記端末指定情報に自端末装置が指定してある場合には、前記第２部分にある基地局装置に固有な信号に応じて周辺にある複数の基地局装置から、接続する接続先基地局装置を選択する第２選択手段と、
前記接続先基地局装置に端末指定情報を送信している下り回線のタイムスロットに対応する上り回線のタイムスロットで前記複数の基地局装置へ前記第２部分にある基地局装置に固有な信号を応答信号として送信する第３送信手段と、を具備し、
前記基地局装置は、それぞれ、
前記応答信号を受信する第３受信手段と、
前記応答信号が、自基地局装置が送信した信号である場合には、前記基地局装置が属するエリアの共通タイムスロット中の、端末指定情報を送信したタイムスロットとは異なるタイムスロットにより自基地局装置の固有制御情報を送信する第４送信手段と、さらに具備することを特徴とする無線通信システム。
【請求項１１】
無線通信システムの端末装置において、複数の基地局装置を含むエリアごとに１個以上の共通タイムスロットが隣接するエリア間で異なるように割り当てられ、前記共通タイムスロットのうちの１つ以上のタイムスロットによりエリア内の全ての基地局装置で共通のエリア共通情報として、端末装置を指定する端末指定情報を受信する第１受信手段と、
前記端末指定情報に対する応答信号を送信する送信手段と、
前記第１タイムスロットのうちの前記端末指定情報が送信されるタイムスロット以外のタイムスロットにより送信される基地局装置の固有制御情報を受信する第２受信手段と、を具備することを特徴とする端末装置。
【請求項１２】
無線通信システムの端末装置において、複数の基地局装置を含むエリアごとに１個以上の共通タイムスロットが隣接するエリア間で異なるように割り当てられ、前記共通タイムスロットのうちの１つ以上のタイムスロット内の送信信号が、前記エリア内の全ての基地局装置で同一信号となる信号の第１部分と、基地局装置に固有な信号の第２部分と、を含み、前記第１部分でエリア内の全ての基地局装置で共通のエリア共通情報として、１台以上の端末装置を指定する端末指定情報を受信する第１受信手段と、
前記端末指定情報を受信する第２受信手段と、
前記第２部分にある基地局装置に固有な信号を受信する第３受信手段と、
前記端末指定情報に自端末装置が指定してある場合には、前記第２部分にある基地局装置に固有な信号に応じて周辺にある複数の基地局装置から、接続する接続先基地局装置を選択する選択手段と、
前記第２部分にある基地局装置に固有な信号を応答信号として送信する送信手段と、
前記第１タイムスロットのうちの前記端末指定情報が送信されるタイムスロット以外のタイムスロットにより送信される基地局装置の固有制御情報を受信する第４受信手段と、を具備することを特徴とする端末装置。
【発明の詳細な説明】
【技術分野】
【０００１】
本発明は、無線通信システムの制御チャネルを割り当てるフレーム構成、端末呼び出し信号の送信方法、端末呼び出しから応答までの手順と、さらに、その手順を実現する無線通信システム、基地局装置および端末装置に関する。
【背景技術】
【０００２】
無線通信を行う範囲を複数のセルと呼ばれるエリアに分割し、無線基地局を中心としてセルが面的に隙間なく設定されるセルラー移動無線通信方式に、セル半径数百メートル以下の比較的小さなセルで構成されるマイクロセル方式があり、ＰＨＳ（Personal Handy-phone System）はそれを採用した代表的なシステムである。
【０００３】
ＰＨＳでは、基地局から端末への下りリンクに時分割多重（Time Division Multiplexing：ＴＤＭ）、端末から基地局への上りリンクに時分割多元アクセス（Time Division Multiple Access：ＴＤＭＡ）が採用されている。さらに、上下リンクに同じ周波数を利用する時分割複信（Time Division Duplex：ＴＤＤ）を利用している。ＰＨＳでは、上りリンクでの数タイムスロットと下りリンクでの数タイムスロットから１フレームを構成し、この中のタイムスロットを利用して通信が行われている。  各基地局は、制御信号用チャネル上のタイムスロットが他の基地局により使用されていないということを初期起動時、再起動時や、深夜や保守期間等の端末との接続がない時に、自ら確認し、そのタイムスロットで各基地局固有の制御情報を一定の周期で間欠送信している。また、複数の基地局が異なるタイムスロットをそれぞれ独立に使用することにより、同じ制御信号用周波数チャネル上に複数の基地局の制御信号が時分割多重され、端末に送信されている。例えば、各基地局が、Ｌ（Ｌは１以上の整数）フレームごとに異なるタイムスロット１個を独立に確保して時分割で制御情報を間欠送信する。この場合、各基地局が利用できるタイムスロットはＬフレームに１スロットの頻度で制御信号を送信できる。また、各基地局は、Ｌフレームに１スロット使えるという周期、すなわち下りリンクの制御信号の間欠送信周期内に、複数種類の異なる制御情報をさらに時分割多重して送信している。（例えば、非特許文献１参照）。
【非特許文献１】ARIB標準 STD-T28 5.2版 4.2.5節, 4.2.6節
【発明の開示】
【発明が解決しようとする課題】
【０００４】
ＰＨＳにおいて各基地局は、上述のような構成で制御信号を送信していることから、間欠送信する時間間隔が大きいほど１つの周波数チャネルに多重できる基地局数を増やすことができるが、その半面、制御信号を送信できる間隔は長くなり、各基地局の制御チャネル伝送容量が少なくなってしまう。
【０００５】
ＰＨＳでは、たとえ基地局間で共通の同じ制御情報であっても、各基地局がそれぞれ個別に必要なタイムスロットを使用して送信していることから周波数利用に無駄がある。  
この発明は、上述した事情を考慮してなされたものであり、制御情報用チャネルの伝送容量を増やすタイムスロット割り当て構成を与え、さらに、その構成に対する効率的な通信制御を行う無線通信システム、基地局装置および端末装置を提供することを目的とする。
【課題を解決するための手段】
【０００６】
上記の課題を解決するため、本発明の基地局装置は、複数の基地局装置を含むエリアごとに１個以上の共通タイムスロットが隣接するエリア間で異なるように割り当てられ、前記共通タイムスロットのうちの１つ以上のタイムスロットによりエリア内の全ての基地局装置で共通のエリア共通情報を送信する第１送信手段と、前記共通タイムスロットを除いたタイムスロットでキャリアセンスを行うキャリアセンス手段と、前記キャリアセンスによって空きであると判定されたタイムスロットを選択する選択手段と、前記空きタイムスロットにて前記基地局装置に固有の制御信号をＫ個（Ｋ：正整数）のタイムスロット周期で間欠的に送信する第２送信手段と、を具備することを特徴とする。
【０００７】
本発明の無線通信システムは、時間分割されたタイムスロットを用いて無線通信を行う、複数の基地局装置と端末装置を含む無線通信システムであって、
前記基地局装置は、それぞれ、複数の基地局装置を含むエリアごとに１個以上の共通タイムスロットが隣接するエリア間で異なるように割り当てられ、基地局装置が属する前記エリアの共通タイムスロットによりエリア内の全ての基地局装置で共通のエリア共通情報として、１台以上の端末装置を指定する端末指定情報を送信する第１送信手段と、基地局装置が属するエリアの前記共通タイムスロットを除いたタイムスロットでキャリアセンスを行うキャリアセンス手段と、前記キャリアセンスによって空きであると判定された空きタイムスロットを選択する第１選択手段と、前記空きタイムスロットで前記基地局装置に固有の制御信号をＫ個（Ｋ：正整数）のタイムスロット周期で間欠的に送信する第２送信手段と、を具備し、
前記端末装置は、前記端末指定情報を受信する受信手段と、前記端末指定情報に自端末装置が指定してある場合には、周辺にある複数の基地局装置から、接続する接続先基地局装置を選択する第２選択手段と、前記接続先基地局装置に固有の制御信号を送信しているタイムスロットに対応しているタイムスロットで前記接続先基地局装置へ応答信号を送信する第３送信手段と、を具備することを特徴とする。
【０００８】
本発明の端末装置は、無線通信システムの端末装置において、複数の基地局装置を含むエリアごとに１個以上の共通タイムスロットが隣接するエリア間で異なるように割り当てられ、前記共通タイムスロットのうちの１つ以上のタイムスロットによりエリア内の全ての基地局装置で共通のエリア共通情報として、端末装置を指定する端末指定情報を受信する第１受信手段と、前記端末指定情報に対する応答信号を送信する送信手段と、前記第１タイムスロットのうちの前記端末指定情報が送信されるタイムスロット以外のタイムスロットにより送信される基地局装置の固有制御情報を受信する第２受信手段と、を具備することを特徴とする。
【発明の効果】
【０００９】
本発明の無線通信システム、基地局装置および端末装置によれば、制御情報用チャネルの伝送容量を増やすタイムスロット割り当て構成を与え、さらに、その構成に対する効率的な通信制御を行うことができる。
【発明を実施するための最良の形態】
【００１０】
以下、図面を参照しながら本発明の実施形態に係る無線通信システム、基地局装置および端末装置について詳細に説明する。なお、以下の実施形態中では、同一の番号を付した部分については同様の動作を行うものとして、重ねての説明を省略する。また、基地局装置を単に基地局、端末装置を単に端末と称する。  
まず、実施形態の概要を述べる。  
本実施形態では、複数の基地局間で共通な制御情報の送信を、基地局ごとに個別にタイムスロットを使うのではなく、共通な制御情報の送信を行うエリア単位で特定のタイムスロットを複数の基地局が共用して使う（全ての実施形態）。ここで、エリアとは、基地局が配置されるセルと呼ばれる領域を複数個集めて構成された範囲と定義する。具体的には以下の実施の形態で詳述するが、例えば後述する図５のように、基地局が配置されるセル（図５中の１つの六角形）が複数個集めて出来た範囲を１エリアと定義する。
【００１１】
エリア単位でタイムスロットを共用して送信するエリア共通制御情報は、エリア単位での端末呼び出し情報とする。この端末呼び出し情報にはエリア単位で呼び出す端末識別情報を含んでいる。
【００１２】
さらに、無線伝送方式として直交周波数分割多重（Orthogonal Frequency Division Multiplexing：ＯＦＤＭ）を用いる場合には、各基地局が同一の信号を、同一周波数帯の同じタイムスロットを利用して送信することで、ＳＦＮ（Single Frequency Network）が実現できる。
【００１３】
エリア内の複数基地局が同一の信号にて端末呼び出し情報を送信する場合、呼び出し端末の識別情報は送れるが、端末呼び出し情報を受信した端末は、呼び出し情報を送信した基地局の特定が出来ず、どの基地局に応答を返すかを判断しなければならない。この判断に関して本実施形態では、端末がどの基地局に応答を返すかを判断する場合（第１および第３の実施形態）、外部の制御装置（下記の基地局制御局に対応）が判断して基地局を経由して端末に指示する場合（第２の実施形態）、端末が応答する基地局の固有のタイムスロット位置を特定する場合（第４実施形態）を説明する。
【００１４】
以下の実施形態では、無線アクセス方式をＯＦＤＭＡ／ＴＤＭＡ、無線複信方式をＴＤＤとすることを想定する。ただし、ＯＦＤＭＡに限らず、例えば、サイクリックプリフィックスが付加されたシングルキャリア方式等でも適用可能である。
【００１５】
＜第１の実施形態＞  
第１の実施形態では、エリア内の全基地局は、エリアごとに予め割り当てられたタイムスロットにて同一信号を送信する。基地局は、自分が属するエリア以外のエリアに予め割り当てられたタイムスロットが、他の基地局によって使用されていないかどうかを確認する。基地局は、使用されていないと確認されたタイムスロットを、自己に固有の制御情報を間欠的に送信するために用いる。
【００１６】
第１の実施形態では、基地局から送信された共通呼び出し信号に基づいて、端末が接続先基地局を選択する。
【００１７】
本実施形態の基地局について図１を参照して説明する。  
本実施形態の基地局は、変調処理部１０１、セレクタ１０２、データ多重処理部１０３、ＩＦＦＴ（inverse fast Fourier transform）処理部１０４、サイクリックプリフィックス付加処理部１０５、Ｄ／Ａ（digital-to-analog）変換部１０６、ＲＦ無線部（送信系）１０７、送受信アンテナ１０８、ＲＦ無線部（受信系）１０９、Ａ／Ｄ（analog-to-digital）変換部１１０、ベースバンド復調処理部１１１、データ復号処理部１１２、制御部１１３を含んでいる。
【００１８】
変調処理部１０１は、通信データと制御データ（基地局固有の固有制御情報、もしくはエリア内共通の共通制御情報）を変調する。エリア内の全基地局は、エリアごとに予め決められたタイムスロットにてエリア内共通の制御情報を送信する。
【００１９】
セレクタ１０２は、これら通信データと制御データから１つを選択してデータ多重処理部１０３に出力する。データ多重処理部１０３は、パイロット信号等の既知信号とセレクタ１０２で選択されたデータとを多重する。ＩＦＦＴ処理部１０４は、多重された信号を逆高速フーリエ変換する。サイクリックプリフィックス付加処理部１０５は、ＩＦＦＴ処理後の信号の一部分をサイクリックプリフィクスとして付加する。Ｄ／Ａ変換部１０６は、サイクリックプリフィックス付加処理部１０５の出力信号をアナログ信号に変換する。ＲＦ無線部（送信系）１０７は、Ｄ／Ａ変換部１０６が出力したアナログ信号を送信帯域へアップコンバートして信号を送受信アンテナ１０８から送信する。基地局の送信系は、例えば、ＯＦＤＭ信号を送信する。
【００２０】
ＲＦ無線部（受信系）１０９は、送受信アンテナ１０８で受信した信号を、ダウンコンバートしベースバンド信号に変換する。Ａ／Ｄ変換部１１０は、このベースバンド信号をディジタル信号に変換する。ベースバンド復調処理部１１１は、このディジタル信号をデータ復調する。ベースバンド復調処理部１１１では、例えばＯＦＤＭ受信機であれば、ＦＦＴ処理部（図示せず）にて高速フーリエ変換された後にチャネル変動補償および復調が行われる。データ復号処理部１１２は、データ復調された信号にチャネル復号化などを行い、通信データや制御データ（基地局固有の固有制御情報、もしくはエリア内共通の共通制御情報）を得る。基地局の受信系は、例えば、ＯＦＤＭ信号、シングルキャリア方式の信号を受信する。
【００２１】
制御部１１３は、送信受信系の各処理部に対する制御を行っており、スロットへの同期など必要な動作タイミングの制御を行っている。制御部１１３は、エリア内共通の制御情報を送るタイムスロットのタイミングで、エリア内共通制御情報が選択されて送信されるように、セレクタ１０２に指示を出す。制御部１１３は、基地局が属する呼び出しエリアが予め確保していないタイムスロットのうち、使用されていないことをキャリアセンスするように指示する。キャリアセンスで空きを確認したうえで、この空きタイムスロットを各基地局が基地局固有で間欠的に使用するスロット（下記の図７、図８のスロットＥ）の候補とする。なお、制御部１１３から出ている点線矢印は主として制御信号である。
【００２２】
次に、本実施形態の端末装置について図２を参照して説明する。  
本実施形態の端末は、セレクタ２０１、データ多重処理部２０２、ベースバンドデータ変調処理部２０３、Ｄ／Ａ変換部２０４、ＲＦ無線部（送信系）２０５、送受信アンテナ２０６、ＲＦ無線部（受信系）２０７、Ａ／Ｄ変換部２０８、サイクリックプリフィックス除去処理部２０９、ＦＦＴ処理部２１０、データ分離処理部２１１、復調処理部２１２、制御部２１３を含んでいる。
【００２３】
セレクタ２０１は、通信データと制御データを変調する。データ多重処理部２０２は、パイロット信号等の既知信号とセレクタ２０１で選択されたデータとを多重する。ベースバンドデータ変調処理部２０３は、この多重された信号をデータ変調する。Ｄ／Ａ変換部２０４は、変調された信号をアナログ信号に変換する。ＲＦ無線部（送信系）２０５は、Ｄ／Ａ変換部２０４が出力したアナログ信号を送信帯域へアップコンバートして信号を送受信アンテナ２０６から送信する。端末の送信系は、例えば、ＯＦＤＭ信号、シングルキャリア方式の信号を送信する。
【００２４】
ＲＦ無線部（受信系）２０７は、送受信アンテナ２０６で受信した信号を、ダウンコンバートしベースバンド信号に変換する。Ａ／Ｄ変換部２０８は、このベースバンド信号をディジタル信号に変換する。サイクリックプリフィックス除去処理部２０９は、ディジタル信号に含まれるサイクリックプリフィックスを除去する。ＦＦＴ処理部２１０は、２０９の出力信号を高速フーリエ変換する。データ分離処理部２１１は、この高速フーリエ変換された信号を通信データと制御データに分離する。端末の受信系は、例えば、ＯＦＤＭ信号を受信する。
【００２５】
待ち受け状態の端末は、基地局から報知されている情報により自分がどの呼び出しエリアにいるかを把握しており、さらに、自分が存在する呼び出しエリアで共通に使っているタイムスロットのタイミングは分かっているものとする。待ち受け状態にある端末は、既に基地局から報知された制御情報を受信している。端末は、この情報から、エリア共通で利用されているタイムスロットのタイミングや繰返し周期などを把握している。各呼び出しエリアに属する全ての待ち受け状態の端末は、自己が属するエリア内で共通に使っているタイムスロットを定期的に受信しているものとする。  
エリア内共通端末呼び出し情報を受信した端末は、その情報から自分が呼び出されているか否かを確認する。自分が呼び出された場合には、呼び出された端末は、周辺の基地局サーチを行い、呼び出しに対する接続先基地局を１つ選択する。
【００２６】
次に、図１の基地局と図２の端末との間でやり取りされるスロット構成の一例について図３、図４を参照して説明する。  
本実施形態の無線通信システムでは、図３のように時間軸方向に上り／下りで各４スロット構成とする。また、周波数軸方向には、図４の（Ａ）のように、一定の周波数帯域幅で幾つかの帯域に分割されたスロット構成とする。よって、本無線通信システムにおいて、基地局および端末は、図４の（Ａ）の時間／周波数で区分けされたスロットを利用して通信を行う。本無線システムでは、各基地局が制御チャネルを送信するために、図４の（Ａ）の区分けされたスロットの中から、予め決められた特定のスロットを用いるものとする。
【００２７】
その利用形態は図４の（Ｂ）のような特定の帯域を全て制御用スロットとする周波数多重や、図４の（Ｃ）のように特定のタイムスロットを全て制御用とする時間多重、また、図４の（Ｄ）のような時間周波数軸で特定の部分を制御用に使う時間周波数多重などが考えられる。
【００２８】
本実施形態およびその他の実施形態では、一例として、図４の（Ｂ）の周波数多重により特定の帯域を全て制御用に使用する場合を想定して説明する。ただし、図４の（Ｂ）で制御チャネル用帯域が複数存在してもよい。
【００２９】
図４の（Ｂ）の制御チャネル用帯域では、図３で示したようなタイムスロットのもとで、各基地局は、基地局固有の制御チャネルを送信するため、基地局設置後の初期起動時、再起動時や、深夜や保守期間等の端末との接続がないときに、キャリアセンスなどで自ら確認したうえで利用するタイムスロットを基地局ごとに独立に選択するものとする。本実施形態ではＴＤＤであることから、基地局固有で用いるタイムスロットは上り下りで対応するペアで使用されるものとする。すなわち、例えば図３において、基地局が下りスロットＤ２を使用したときは同時にＵ２もその基地局に使用される。さらに、各基地局は、基地局固有の制御チャネルを送信するためのタイムスロットを一定の周期にて使用して、基地局固有の制御チャネルを時分割で間欠送信しているものとする。
【００３０】
次に、基地局が配置されるセルの配置について図５を参照して説明する。  
本実施形態では、図５に示したように複数の基地局で構成されるエリアを複数用意する。図５では、各エリアはすべて４３セル（各セルには１つの基地局が対応）の同じ形で構成されているが、各エリアに属する基地局数が異なっていてもよいし、エリアの形が異なっていてもよい。本実施形態では、エリアを、エリア内の全ての基地局が同じ端末呼び出し制御情報を送信するエリアとする。
【００３１】
次に、図５に示したエリアごとに割り当てられるスロット群について図６を参照して説明する。  
図６のように、下りリンクのＭタイムスロット周期のタイムスロット基本周期単位Ａ ６０１があり、基本周期単位Ａ ６０１のＭタイムスロットの中からＮ個分のタイムスロットからなるタイムスロット群Ｂ ６０２が基本周期単位Ａ ６０１内に１つ含まれている。図６では、Ｎ個のタイムスロットが時間的に連続しているように示しているが、Ｎ個のタイムスロットは時間的にランダムな配置であってもよい。さらに、タイムスロット群ＢのＮ個をＰ個ずつに分割し、Ｐ個のタイムスロットからなるタイムスロット群Ｃ ６０３を複数設定し、それらを図５に示したエリアごとに１つのエリアに１つのタイムスロット群Ｃ ６０３を予め割り当てる。ここで、エリアごとに割り当てられるタイムスロット群Ｃ ６０３は、タイムスロット群Ｂ ６０２から連続しないタイムスロットから選択される場合であってもよい。
【００３２】
したがって、１つのエリアに１つのタイムスロット群Ｃが予め割り当てられるので、図６に示すように、基本周期単位Ａ ６０１のＭタイムスロット周期ごとに、必ず1回は各エリアに割り当てられたタイムスロット群Ｃが含まれる。よって、基本周期単位Ａ ６０１のＭタイムスロット周期は、エリアごとに予め割り当てるタイムスロットの送信周期を意味する。
【００３３】
なお、図６では、基本周期単位Ａ ６０１は、図４の（Ｂ）の想定のもとで、時間方向に連続したスロットで構成されるように記載しているが、特にそれに制限されるわけではなく、基本周期単位Ａ ６０１の周期をある一定の時間間隔とし、その時間間隔に含まれるスロット分を図４の（Ｃ）や（Ｄ）のように時間周波数軸に特定のパターンで予め配置しておくことも可能である。
【００３４】
さらに、エリア内の全ての基地局は、図６のスロット構成に同期して運用されている。つまり、図６のあるタイムスロット群Ｃでは、それが予め割り当てられたエリア内の全ての基地局が、そのタイミングに同期して、エリア共通の制御情報を送信しているものとする。
【００３５】
次に、各基地局が基地局固有の固有制御情報を送信するためのタイムスロットの周期について図７、図８を参照して説明する。  
各基地局は、図７、図８に示すように、基地局固有の固有制御情報を送信するためのタイムスロットＥを、基地局自身がキャリアセンスしタイムスロットの空きを検出した上で使用するが、このタイムスロットＥは、Ｋ個のタイムスロット周期ごとに間欠的に使用される。
【００３６】
ここで、基本周期単位Ａ ６０１のタイムスロット周期Ｍと、タイムスロットＥを間欠的に使用するタイムスロット周期Ｋの関係は以下のどちらかである。  
（１）ＫがＭの正整数倍（Ｋ＝Ｍを含む）  
（２）ＭがＫの正整数倍（Ｋ＝Ｍを含まない）  
上記（１）は、図７のように、基地局がその基地局固有の固有制御情報を送るために確保したタイムスロットＥの周期７０１の方が、エリア共通で使用するタイムスロット含むタイムスロットの基本周期単位Ａ ７０２の周期よりも長い場合である。  
一方、上記（２）は、図８のように、基地局がその基地局固有の固有制御情報を送るために確保したタイムスロットＥの周期８０１よりも、エリア共通で使用するタイムスロットを含むタイムスロットの基本周期単位Ａ ８０２の周期の方が長い場合である。
【００３７】
なお、上記（２）の場合には、基地局の制御部１１３は、基地局が属する呼び出しエリアが予め確保していないタイムスロットのうち、使用されていないことをキャリアセンスするように指示する。キャリアセンスで空きを確認したうえで、この空きタイムスロットからＫ個のタイムスロット周期ずつ離れた１個以上のタイムスロットでキャリアセンスを行い、この１個以上のタイムスロットも空いていると判定した場合に、この空きタイムスロットを選択し、この空きタイムスロットを各基地局が基地局固有で間欠的に使用するスロットとする。
【００３８】
これらの条件は、パラメータの一つであり、本実施形態を含む以下のすべての実施形態においてどちらの場合でも適用が可能である。  
以降すべての実施形態では、Ｋ＝Ｍの場合を想定して説明する。
【００３９】
次に、各エリアに１つのスロットを割り当てる一例について図９を参照して説明する。  
図９の（Ａ）のように、下りリンクでＭ個のタイムスロットとなるタイムスロットの基本周期単位Ａ ９０１内に、Ｎスロットからなるタイムスロット群Ｂ ９０２をエリアごとに予め割り当てる。この例では、Ｎ＝４，Ｐ＝１としているので、タイムスロット群ＣはＤ（１）、Ｄ（２）、Ｄ（３）、Ｄ（４）の４個分あり、１エリアあたり１つのタイムスロット（タイムスロット群Ｃ ９０３）を割り当てる。例えば、図９のエリア＃１にはＤ（１）を、エリア＃２にはＤ（２）を、エリア＃３にはＤ（３）を、エリア＃４にはＤ（４）を予め割り当てる。また、１つのエリアに割り当てるタイムスロットは、そのエリアに直接隣り合うエリアに割り当てられたタイムスロットとは異なるものとする。例えば、エリア＃５にはＤ（２）を、エリア＃６にはＤ（３）を、エリア＃７にはＤ（４）を割り当てる。
【００４０】
例えば、図９の（Ａ）において、エリア＃２に割り当てるタイムスロットはＤ（２）とし、さらにエリア＃２と隣り合わないエリア＃５に同じＤ（２）のタイムスロットを割り当てている。図９では、Ｎ＝４としているので、４エリアごとに割り当てタイムスロットが周期的に再利用されるようにしている。
【００４１】
なお、図９の（Ａ）、図５では、各基地局はそれぞれ１つのエリアに属しているように示されているが、図９の（Ｂ）で示したように、エリア境界に位置する基地局は複数エリアに重複して属するように基地局設置時に設定しても特に問題はない。  
例えば、図９の（Ｂ）では、黒塗りの四角で示した基地局はエリア＃１，＃３，＃４の３エリア境界に位置するためこの３つのエリアに重複して属し、黒星で示した基地局は２エリア境界に位置するためそれら２つのエリアに重複して属するように基地局設置時に設定される。また、設置後の周辺エリアの変化に応じて重複して属するエリアの変更を行うことも可能である。
【００４２】
ここで、エリア内に属する基地局数が数十以上の大きな端末呼び出しエリアであることを想定すると、呼び出しエリア中心とエリア境界では、予め確保されたそれぞれのタイムスロットの使用率は大きく異なる。
【００４３】
次に、呼び出しエリア中心とエリア境界でのスロットの使用率について図１０を参照して説明する。  
図１０は、呼び出しエリア内の基地局が設置された位置に対して、使用率が大きく異なる状況を示している。例えば、図１０のエリア＃１内のＸ地点、すなわち、エリア中心付近では、そのエリアに予め固定的に確保されたタイムスロットＤ（１）のみが使用中である可能性が高い。逆に、図１０のＹ地点、すなわち、エリア＃１，３，４のエリア境界付近では、各エリアに予め固定的に確保された３つのタイムスロットＤ（１），Ｄ（３），Ｄ（４）が使用中となる可能性が高い。
【００４４】
よって、タイムスロット群Ｂのタイムスロットは、エリアごとに予め固定的に割り当てられるが、これらのタイムスロットは、エリアごとの共通利用タイムスロットとして排他的に利用されるのではなく、基地局は、予め固定的に確保されたタイムスロットであっても、その基地局が属する呼び出しエリアが予め確保していないタイムスロットのうち、使用されていないことをキャリアセンスで確認したうえで、この使用されていないタイムスロットを各基地局が基地局固有で間欠的に使用するスロットＥの候補として取り扱う。以上のような構成をとることで、各エリアの中心付近では、各基地局が独立に使用するスロットの候補数を増やすことができる。
【００４５】
なお、図９の（Ｂ）で示したように、エリア境界の基地局で、複数エリアに重複して属するような場合には、属するエリアの数だけ、それぞれのエリアで予め割り当てられたタイムスロットでエリア内共通の呼び出し情報を送信することになる。
【００４６】
次に、第１の実施形態における基地局および端末の処理手順の一例について図１１を参照して説明する。  
呼び出しエリア内の全ての基地局（ＢＳ１、ＢＳ２、ＢＳ３、・・・）が、呼び出しエリアごとに予め決められたタイムスロットでエリア内共通の端末呼び出し情報を送信する（ステップＳ１１０１）。各基地局では、制御部１１３が、エリア内共通の端末呼び出し情報（図１のエリア内共通制御情報が対応）を変調するように変調処理部１０１を指示し、セレクタ１０２が複数の変調処理部１０１から出力される信号のうち、エリア内共通制御情報を含む信号を選択し、データ多重処理部１０３に渡す。端末呼び出し情報は、エリア内の全ての基地局が同一の信号を送信する。なお、呼び出し情報には、端末を一意に識別できる情報が含まれているものとする。  
また、待ち受け状態の端末（ＭＳ１）は、基地局から報知されている情報により自分がどの呼び出しエリアにいるかを事前に把握しており、さらに、自分が存在する呼び出しエリアで共通に使っているタイムスロット群Ｃの位置が事前に分かっているものとする。よって、各呼び出しエリアに属する全ての待ち受け状態の端末は、タイムスロット群Ｃを定期的に受信しているものとする。
【００４７】
次に、エリア内共通端末呼び出し情報を受信した端末は、その情報から自分が呼び出されているか否かを確認する。自分が呼び出された場合には、呼び出された端末は、通信を確立すべき基地局を決定するために、周辺の基地局サーチを行い、呼び出しに対する接続先基地局を１つ選択する（ステップＳ１１０２）。選択する基準は、基地局サーチした結果から、例えば、最も受信電力の高いものを選択するとする。また、呼び出しを受けた直前に基地局サーチをしていてその結果が保存されているならば、その結果を利用して接続先基地局を選択してもよい。これは当業者に自明な手法によって端末内で行われる。
【００４８】
次に、端末が、選択した基地局が利用している基地局固有のタイムスロットの上りスロットを利用して応答する（ステップＳ１１０３）。基地局が、ステップＳ１１０３の応答を受けて、基地局固有の下りスロットで端末へ応答する（ステップＳ１１０４）。基地局が、基地局固有の制御チャネル用スロットを介して制御情報のやり取りを行い、端末との間で通信を確立する（ステップＳ１１０５）。
【００４９】
図１１の手順では、呼び出し端末は１つを想定しているが、エリア内共通の呼び出し情報に複数の呼び出し端末に対する端末識別情報を含めておくことで、複数台の呼び出しを同時に行うことができる。この場合は、呼び出しを受けた複数の端末はステップＳ１１０２からステップＳ１１０５までをそれぞれ独立に行うことで対応できる。
【００５０】
以上の第１の実施形態によれば、図９の（Ａ）に示したようにエリアごとに共通のタイムスロットを割り当てることで、呼び出し情報を送信するためのタイムスロットを基地局毎にそれぞれ確保する場合に比べ周波数利用効率が良い。さらに、エリア内に含まれる基地局数が多くなるほどタイムスロットを共用することによる周波数利用効率の向上が見込める。また、基地局固有の制御信号を送信するためのタイムスロットを空き検出して使用する際に、予め各エリアに割り当てたタイムスロットであっても自分が属するエリア以外のエリアに割り当てられたタイムスロットを空き検出して使用するタイムスロットの選択候補としておくことで、エリア中心付近の基地局はエリア境界の基地局に比べて選択候補数を増やすことが可能となり、より効率の良いタイムスロット割り当てが実現できる。さらに、基地局がそれぞれ独立に使用しているタイムスロットで端末呼び出し情報を多重する場合と比較して、端末呼び出し情報が送信される周期を短くすることができるため、端末呼び出しから通信を開始するまでに要する時間を削減することが可能となる。
【００５１】
＜第２の実施形態＞  
第２の実施形態では、第１の実施形態と同様に、エリア内の全基地局は、エリアごとに予め割り当てられたタイムスロットにて同一信号を送信し、自基地局が属するエリア以外のエリアに割り当てられているタイムスロットについては自基地局が空きを検出して時基地局固有の制御情報を送信するために使用するスロットの候補とする。  
本実施形態が第１の実施形態と異なる点は、エリア内の各基地局が、呼び出しエリアごとに予め割り当てられた、エリア内共通の呼び出し情報を送信したタイムスロット以外の予め割り当てられたタイムスロットを利用して基地局固有の固有制御情報を端末に送信することである。
【００５２】
また、本実施形態では、第１の実施形態と異なり、全基地局を統括制御する基地局制御局（Base Station Controller：ＢＳＣ）が設置されている。本実施形態では、第１の実施形態と異なり、基地局から送信された共通呼び出し信号に対する応答信号を複数の基地局が受信し、複数の受信状況に基づいて、基地局制御局が接続先基地局を選択する。
【００５３】
なお、第２の実施形態でも、第１の実施形態と同様に、Ｋ＝Ｍの場合を想定して説明する。
【００５４】
本実施形態の基地局について図１２を参照して説明する。なお、本実施形態の端末は、第１の実施形態と同様である。  
本実施形態の基地局は、第１の実施形態の基地局に、応答検出処理部１２０１が追加されたものである。この追加に伴い制御部の処理も追加される。
【００５５】
応答検出処理部１２０１は、基地局はエリア内共通呼び出し情報に対する呼び出された端末からの応答を検出し、例えば、基地局が受信した端末からの応答信号の受信電力、基地局が端末からの応答信号を受信した受信時刻を取得する。
【００５６】
制御部１２０２は、応答検出処理部１２０１から検出結果（例えば、応答信号の受信電力、応答信号の受信時刻）を取得し、この検出結果を、その基地局と基地局制御局が接続されている回線を通じて後述の基地局制御局１５０１に通知するように制御する。この他の動作は第１の実施形態の制御部１１３と同様である。
【００５７】
次に、各エリアに２つのスロットを割り当てる一例について図１３を参照して説明する。  
図１３のように、タイムスロット群Ｂ １３０２のタイムスロット数Ｎを８とし、タイムスロット群Ｃ １３０３のタイムスロット数Ｐを２とする。これは、１つのエリアに対して２つのタイムスロットを予め割り当てることに対応する。
【００５８】
例えば、図１３において、エリア＃２に割り当てるタイムスロットはＤ（２），Ｄ（６）とし、さらにエリア＃２と隣り合わないエリア＃５に同じＤ（２），Ｄ（６）のタイムスロットを割り当てている。図１３では、４エリアごとに割り当てタイムスロットが周期的に再利用されるようにしている。
【００５９】
図１３において、各エリアに割り当てる２つのタイムスロットのうち、１つはエリア内の全基地局がエリア内共通の呼び出し情報を送信するために利用され、もう１つは特定の基地局が呼び出した端末に向けて固有制御情報を送信するために利用される。ただし、エリア内共通の呼び出し情報を送信するときは、エリア内の複数基地局が同一信号を送信する。
【００６０】
例えば、図１３のエリア＃１のＤ（１）でエリア内共通の呼び出し情報を送信し、Ｄ（５）はエリア＃１内の特定の基地局が呼び出し端末に向けて制御信号を送信する。エリア＃１内の全端末は、エリア内共通の呼び出し情報をＤ（１）で受信し、この呼び出し情報で呼び出された端末は、Ｄ（１）に対応する上りリンクのタイムスロットで応答を返す。このとき、端末は応答を返す基地局を特定しない状態で応答信号を送信する。
【００６１】
なお、図１３においても、第１の実施形態において図９の（Ｂ）を参照して説明した場合と同じように、複数エリアが直接接する場所にある基地局は、属するエリアが１つだけでなく、直接接する複数のエリアに属するように設定されていても特に問題はない。  
次に、呼び出しエリア中心とエリア境界でのスロットの使用率について図１４を参照して説明する。  
第１の実施形態で図１０を参照して説明したように、呼び出しエリアの中心付近と境界付近でタイムスロットの使用状況が異なる。例えば、図１４のエリア＃１内のＸ地点、すなわち、エリア中心付近では、そのエリアに予め固定的に予め割り当てられた２つの下りタイムスロットＤ（１）とＤ（５）のみが使用中である可能性が高い。逆に、図１４のＹ地点、すなわち、エリア＃１，３，４のエリア境界付近では、各エリアに予め固定的に予め割り当てられた６つのタイムスロットＤ（１），Ｄ（３），Ｄ（４），Ｄ（５），Ｄ（７），Ｄ（８）が使用中となる可能性が高い。
【００６２】
よって、タイムスロット群Ｂのタイムスロットは、呼び出しエリアごとに予め固定的に確保されるが、これら予め確保されたタイムスロットは、エリア内共通呼び出し情報と、ある特定の基地局固有の固有制御情報との送信のためだけに排他的に利用されるのではなく、基地局は、予め固定的に予め割り当てられた前記のタイムスロットであっても、使用されていないことをキャリアセンスで確認した上で利用されていないタイムスロットは、各基地局が、使用されていないということを初期起動時、再起動時、深夜や保守期間等の端末との接続がない時に自ら確認して基地局固有の制御情報を一定の周期で間欠的に送信するスロットの候補として扱うことができる。よって、完全に排他的に確保する場合と比較して、より効率的な周波数利用が実現できる。
【００６３】
次に、エリア内の全基地局を統括制御する基地局制御局について図１５を参照して説明する。  
基地局制御局１５０１は、基地局が呼び出し端末から受信した受信状況を基地局から受信し、この受信状況に応じて、呼び出し端末と通信を行わせる基地局を選択する。受信状況は、例えば、基地局が受信した端末からの応答信号の受信電力、基地局が端末からの応答信号を受信した受信時刻である。  
基地局制御局１５０１は、例えば、応答信号の受信電力が最も高い基地局、複数の基地局のうちの応答信号の受信時刻が最も早い基地局を選択する。基地局制御局１５０１は、選択した特定の基地局（下記の図１６ではＢＳ１）へ呼び出し端末と通信を確立させるように指示する指示信号を送信する。
【００６４】
図１５に示すように、エリア内の全ての基地局は基地局制御局１５０１と通信を行うことができるようになっている。各基地局と基地局制御局との通信は有線による接続で通常行なわれるが、特に有線以外の手段、例えば無線であってもよい。
【００６５】
また、図９の（Ｂ）で示したように、図１３ではエリア境界の基地局が複数エリアに属している場合は、その基地局は属している全てのエリアに対応する基地局制御局１５０１と通信が行えるように接続されているものとする。
【００６６】
次に、第２の実施形態における基地局、端末および基地局制御局の処理手順の一例について図１６を参照して説明する。図１６は、エリア内共通の呼び出し情報を受信した端末が基地局と通信を開始するまでの手順を示している。
【００６７】
図１６のステップＳ１１０１では、例えば、図１３のエリア＃１であればＤ（１））でエリア内共通の呼び出し情報を送信する。
【００６８】
呼び出された端末（ＭＳ１）は、エリア共通呼び出し情報を含むタイムスロットに対応する上りスロットで応答を送信する（ステップＳ１６０１）。ＭＳ１は、例えば、図１３に示すように、Ｄ（１）に対応する上りリンクのタイムスロットＵ（１）を利用して応答を送信する。この応答には、例えば、端末呼び出し番号などの端末を一意に識別できるような情報を含んでいるものとする。この呼び出し端末が送信した応答は、呼び出し端末の近くに配置された基地局（通常は複数の基地局）が受信する。
【００６９】
応答信号を送信した端末ＭＳ１の付近に存在して応答信号を受信できた基地局が基地局ＢＳ１，２，３であるとすると、基地局ＢＳ１，２，３は、その基地局が属する呼び出しエリア内の基地局群を統括する基地局制御局１５０１に受信状況を通知する（ステップＳ１６０２）。また、基地局より基地局制御局に通知される受信状況としては、例えば、応答信号の受信電力や、基地局で受信した時刻がある。  
基地局制御局１５０１は、通知された受信状況をもとに呼び出し端末と通信を行わせる基地局を選択する。この選択基準として、例えば、応答信号の受信電力が最も高い、もしくは、基地局で受信した時刻が最も早いものとすればよい。基地局制御局１５０１は、選択した特定の基地局（図１６ではＢＳ１）へ呼び出し端末と通信を確立させるように指示信号を送信する（ステップＳ１６０３）。
【００７０】
次に、基地局制御局１５０１から指示を受けた基地局ＢＳ１は、呼び出しエリアごとに予め割り当てられた、エリア内共通の呼び出し情報を送信したタイムスロット以外の予め割り当てられたタイムスロット（例えば図１３のエリア＃１であればＤ（５））を利用して基地局ＢＳ１固有の固有制御情報を端末ＭＳ１に送信する（ステップＳ１６０４）。この基地局ＢＳ１固有の固有制御情報には、基地局ＢＳ１を特定するための制御情報、例えば、基地局識別番号や基地局ＢＳ１が利用しているスロット位置などが含まれており、これを受信することで基地局ＢＳ１を特定することができる（ステップＳ１６０５）。
【００７１】
次に、図１６のステップＳ１１０３では、端末ＭＳ１は、特定した基地局ＢＳ１がその基地局固有制御情報を送受信するために利用しているタイムスロット（例えば図１３のエリア＃１であればＤ（５））の上りスロットを利用して基地局ＢＳ１に応答する。
【００７２】
次に、図１６のステップＳ１１０５では、応答を認識した基地局ＢＳ１は、その基地局ＢＳ１固有の固有制御情報を送受信するために利用している上りおよび下りタイムスロット（例えば図１３のエリア＃１であればＤ（５）とその上りスロット）を利用して、呼び出し端末ＭＳ１と固有制御情報のやり取りを行うことでリンクが確立できる。
【００７３】
（変形例：呼び出し端末が複数の場合）  
第２の実施形態における図１６の手順では、図１６のステップＳ１１０１で送信されるエリア内共通の呼び出し情報に含まれる呼び出し端末は１台を想定しているが、複数の端末を呼び出す場合も実施可能である。本変形例においても、エリアごとに予め割り当てるタイムスロットは、上述した呼び出し端末が１つの場合と同様の図１３の条件を想定する。
【００７４】
本変形例において、呼び出された端末が応答を返すタイムスロットは、例えば、図１３のエリア＃１であればＵ（１）のタイムスロットである。よって、呼び出された複数の端末からの応答は、この１つのタイムスロット上で複数のサブスロットを構成することで多重される。すなわち、基地局は、タイムスロットＵ（１）を複数のサブスロットに分けておき、図１６のステップＳ１１０１で端末呼び出し情報を送る際には、呼び出す端末の識別情報と共に応答を返すサブスロット番号を指定する。
【００７５】
さらに、上述した呼び出し端末が１つの場合において、Ｄ（５）のタイムスロットでは、特定の基地局から呼び出し端末にその基地局固有の固有制御情報が送信されるが、本変形例ではこのタイムスロットＤ（５）もＵ（１）と同じようにサブスロットに分割されているものとし、各基地局は、タイムスロットＤ（１）によって端末を呼び出したときに指定されたサブスロットで基地局固有の固有制御情報を送信する。よって、タイムスロットＵ（１）とＤ（５）について、サブスロットは同じ構成となっている。サブスロットに分ける手法としては、例えば、サブキャリア分割による周波数多重、時間分割による時間多重、符号分割による符号多重がある。
【００７６】
一例として、エリア内共通の呼び出し情報に２台の呼び出し端末の情報を含まれることを想定する。この場合には、タイムスロットＤ（１）で送信されるエリア内共通の呼び出し情報には、２台の呼び出し端末の端末識別情報と、その端末識別情報に対するサブスロット番号が含まれている。
【００７７】
よって、図１６のステップＳ１１０１でエリア＃１であれば、エリア内の全端末は、タイムスロットＤ（１）のエリア内共通の呼び出し情報を読んで、呼び出されたか否かを確認する。呼び出された２台の端末は、エリア内共通の呼び出し情報でそれぞれ指定されたサブスロット番号に対応するＵ（１）のサブスロットでそれぞれの端末が応答を送信する。
【００７８】
その後、基地局制御局１５０１により呼び出し端末ごとに応答先基地局が指定される（ステップＳ１６０２、Ｓ１６０３）。次に、呼び出されたときに指定されたサブスロット番号に対応するＤ（５）のサブスロットで特定の基地局からそれぞれの呼び出し端末に基地局固有の固有制御情報が送信される（ステップＳ１６０４）。ステップＳ１６０５以降は、呼び出し端末ごとにそれぞれ独立に進められること以外は上述した呼び出し端末が１つの場合の手順と同様である。
【００７９】
以上の第２の実施形態によれば、図１３のようにエリアごとに共通のタイムスロットを割り当てることで、基地局ごとに呼び出し情報を送信するためのタイムスロットを確保する場合に比べ周波数利用効率が良い。さらに、エリア内に含まれる基地局数が多くなるほどタイムスロットを共用することによる周波数利用効率の向上が見込める。さらに、基地局がそれぞれ独立に使用しているタイムスロットで端末呼び出し情報を多重する場合と比較して、端末呼び出し情報が送信される周期を短くすることができるため、端末呼び出しから通信を開始するまでに要する時間を削減することが可能となる。
【００８０】
また、呼び出された端末が応答する基地局の選定を基地局制御局が行うことと、エリアごとにエリア内の全基地局で共通利用するスロットに加えて端末呼び出し後に特定の基地局が利用するスロットを用意することにより、端末の処理負担を軽減でき、より効率的な端末の呼び出しが実現できる。
【００８１】
また、一度に呼び出す端末が複数台であっても、本実施形態のようにサブスロットを利用することで、図１６と同様な手順で効率的に端末の呼び出しを実現できる。
【００８２】
＜第３の実施形態＞  
第３の実施形態は、エリアごとで共通の呼び出し情報を送信するタイムスロットに、エリアごとで共通の呼び出し情報だけでなく、基地局固有の情報を多重しておくことが本実施形態の特徴である。
【００８３】
第３の実施形態において、基地局が、自分が属するエリア以外のエリアに予め割り当てられたタイムスロットが他の基地局によって使用されていないかどうかを確認し、使用されていないと確認されたタイムスロットを、自己に固有の制御情報を間欠的に送信するために用いることは、第１の実施形態と同様である。また、本実施形態が、接続先基地局を端末が決定することも第１の実施形態と同様であるが、決定するための手法が異なる。
【００８４】
第３の実施形態でも、第１、第２の実施形態と同様に、Ｋ＝Ｍの場合を想定して説明する。
【００８５】
本実施形態の基地局について図１７を参照して説明する。  
本実施形態の基地局は、第１の実施形態の基地局に、データ多重処理部１７０１、記憶装置１７０２が追加されたものである。この追加に伴い制御部の処理も追加される。
【００８６】
データ多重処理部１７０１は、エリア内共通呼び出し情報と、エリア内共通呼び出し情報が送信されたタイムスロットに多重されている基地局固有の情報とを多重し、変調処理部１０１に出力する。基地局固有の情報として、例えば、その基地局のみが制御信号を送信するために使用している基地局固有のタイムスロット位置情報がある。  
記憶装置１７０２は、基地局固有の情報を記憶している。  
制御部１７０３は、記憶装置１７０２から基地局固有の情報を取り出し、データ多重処理部１７０１に供給する。この他の動作は第１の実施形態の制御部１１３と同様である。
【００８７】
次に、本実施形態の端末について図１８を参照して説明する。  
本実施形態の端末は、第１の実施形態の端末に、基地局固有情報検出処理部１８０１、記憶装置１８０２が追加されたものである。この追加に伴い制御部の処理も追加される。
【００８８】
基地局固有情報検出処理部１８０１は、記憶装置１８０２に記憶されている各基地局に対応した各直交符号系列と基地局からの受信信号との相関値をとり制御部１８０３に出力する。
【００８９】
記憶装置１８０２は、複数の基地局に対応している複数の直交符号系列、各直交符号系列に対応したタイムスロットの位置を対応付けて記憶している。  
制御部１８０３は、エリア内共通呼び出し情報を見て自端末が呼び出されているか否かを確認し、呼び出されている場合には、そのエリア内共通呼び出し情報が送信されたタイムスロットに多重されている基地局固有の情報（例えば、基地局固有のタイムスロット位置情報）を検出する。具体的には、記憶装置１８０２に記憶されている複数の直交符号系列を基地局固有情報検出処理部１８０１に提供し、基地局固有情報検出処理部１８０１から相関値を取得する。そして制御部１８０３は、相関の強い直交符号系列を検出し、基地局を特定し、基地局固有のタイムスロット位置を検出する。この他の動作は第１の実施形態の制御部２１３と同様である。
【００９０】
第３の実施形態では、各エリアとエリアごとに予め割り当てるタイムスロットの対応は図９とすればよい。また、基地局固有の情報を多重する手法は、例えば、サブキャリア分割による周波数多重、時間分割による時間多重、符号分割による符号多重により実現できる。
【００９１】
基地局固有の情報として、例えば、その基地局のみが制御信号を送信するために使用している基地局固有のタイムスロット位置情報がある。本実施形態では、基本周期単位Ａの１周期分の各タイムスロットに直交符号系列を割り当てておく。基地局固有の情報としては、基地局に個別に割り当てられる直交符号系列を用いる。直交符号系列の割り当てについては後に図２０を参照して説明する。
【００９２】
エリアごと共通呼び出し情報を受信し、呼び出された端末は、さらにそのエリアごと共通呼び出し情報が多重されたタイムスロットに多重されている基地局固有のタイムスロット位置情報、すなわち直交符号系列を検出する。
【００９３】
基地局固有の情報すなわち直交符号系列を検出できれば、端末は、後述するように基地局からの受信信号と複数の直交符号系列との相関をとれば、その直交符号系列を送信した基地局が基本周期単位Ａ内のどのスロットで制御信号を送信しているかを特定できる。
【００９４】
次に、第３の実施形態における基地局および端末の処理手順の一例について図１９を参照して説明する。
【００９５】
呼び出しエリア内の全ての基地局（ＢＳ１、ＢＳ２、ＢＳ３、・・・）が、下記の図２１のスロットで、エリアごとに予め割り当てられたタイムスロットでエリア内共通呼び出し情報と、エリア内共通呼び出し情報が送信されたタイムスロットに多重されている基地局固有の情報とを送信する（ステップＳ１９０１）。
【００９６】
呼び出し情報を受信した端末（ＭＳ１）は、エリア内共通呼び出し情報を見て自端末が呼び出されているか否かを確認し、呼び出されている場合には、そのエリア内共通呼び出し情報が送信されたタイムスロットに多重されている基地局固有の情報を検出し、タイムスロット位置を特定する（ステップＳ１９０２）。
【００９７】
端末ＭＳ１が特定したタイムスロット位置を受信モニターする（ステップＳ１９０３）。端末ＭＳ１は、ステップＳ１９０３でのモニターによって基地局ＢＳ１固有の報知チャネルを受信し、応答先の基地局（図１９の例ではＢＳ１）を特定する（ステップＳ１９０４）。
【００９８】
ＢＳ１が利用している上りタイムスロットを利用してＢＳ１へ応答を行う（ステップＳ１１０３）。その後、応答を認識したＢＳ１は、その後ＢＳ１のみが利用している上りタイムスロットおよび下りタイムスロットを利用してＭＳ１と制御情報のやり取りを行うことでリンクが確立できる（ステップＳ１１０５）。
【００９９】
基地局固有の情報として基地局に個別に割り当てられる直交符号系列は、自己相関特性として符号の位相差０で鋭いピークがあり、相互相関特性として全ての位相差で相関の絶対値が十分小さい符号系列であればよい。
【０１００】
次に、基地局固有の情報として基地局に個別に割り当てられる直交符号系列について図２０、図２１を参照して説明する。  
基地局が基地局固有の制御情報を送信するために空き検出して使用するタイムスロットの周期Ｋ個分の直交符号系列を用意して、それぞれの直交符号に対してタイムスロット位置を予め対応づけをしておく。ただし、本実施形態では、Ｋ＝Ｍであるため、図２０ではＭ個分の直交符号系列を用意している。
【０１０１】
この場合は、エリアごとに割り当てられたスロットでエリアごと共通呼び出し情報を送信する際に、図２１のように、タイムスロットをエリア内の全基地局が同一の信号を送信する時間区間２１０１と、基地局固有の直交符号系列を送信する時間区間２１０２に分けて送信する。この直交符号系列の送信は、例えば、直交符号系列をＢＰＳＫもしくはＱＰＳＫ変調などで変調し、その変調シンボルをサブキャリアにマッピングしてＯＦＤＭ信号をＩＦＦＴ処理して生成した信号を送信すればよい。図２１では、全基地局が同一の信号を送信する時間区間２１０１と基地局固有の直交符号系列を送信する時間区間２１０２の多重を時間多重としているが、その他の多重方法として、タイムスロットの一部サブキャリアを用いて基地局固有の直交符号系列を送信し、残りのサブキャリアで全基地局が同一の呼び出し信号を送信することも可能である。
【０１０２】
そして、端末で基地局固有情報検出処理部１８０１が受信信号と直交符号系列との相関を取ることにより、どの直交符号が多重されているかを検出できる（ステップＳ１９０２）。さらに、相関値の大きさを調べて相関値の最も大きな直交符号系列を選択することで、呼び出し端末の応答先基地局が利用しているタイムスロット位置を特定することができる（ステップＳ１９０２）。
【０１０３】
ただし、ステップＳ１９０２では、エリア内共通呼び出し情報を受信した端末は、図１９の基地局固有の情報が多重されている時間区間の受信信号と、候補となる直交符号系列との相関を求め、相関値がもっとも高い直交符号系列を検出する。相関値がもっとも高い直交符号系列を選択することで、呼び出された端末ＭＳ１に最も近い基地局が利用している間欠送信周期のタイムスロット位置が特定できる。以降の手順は図１９のステップＳ１９０３〜ステップＳ１１０５のとおりである。
【０１０４】
ここで、図１９の手順では、呼び出し端末が１台の状況を想定しているが、複数の端末を呼び出す場合も実施可能である。例えば、図１９の手順のステップＳ１９０１で送信されるエリア内共通の呼び出し情報に、複数台の呼び出し端末を識別する情報が含めておけばよい。エリア内の全端末は、図１９の手順のステップＳ１９０１で自分が呼び出されているかを確認し、もし呼び出されているのであれば、ステップＳ１９０２以降の処理を、呼び出された端末がそれぞれ独立に行えばよい。
【０１０５】
以上の第３の実施形態によれば、図９のようにエリアごとに共通のタイムスロットを割り当てることで、基地局ごとに呼び出し情報を送信するためのタイムスロットを確保する場合に比べて周波数利用効率が良い。さらに、エリア内に含まれる基地局数が多くなるほどタイムスロットを共用することによる周波数利用効率の向上が見込める。さらに、基地局がそれぞれ独立に使用しているタイムスロットで端末呼び出し情報を多重する場合と比較して、端末呼び出し情報が送信される周期を短くすることができるため、端末呼び出しから通信を開始するまでに要する時間を削減することが可能となる。
【０１０６】
また、エリア内共通呼び出し情報を送信しているタイムスロットに多重されている基地局固有の情報を利用することで、呼び出された端末が応答する基地局の特定処理を端末側で効率的に行うことができるため、より効率的な端末の呼び出しが実現できる。
【０１０７】
また、基地局が間欠送信しているタイムスロット位置を特定することにより、すべてのスロットをモニターする必要はなく、ステップＳ１９０２で特定したタイムスロット位置のみをモニターすればよいので、応答先基地局を特定する処理を軽減することが可能となる。
【０１０８】
＜第４の実施形態＞  
第４の実施形態では、第３の実施形態で示した、基地局固有情報に含まれる直交符号系列を検出することで基地局固有のタイムスロット位置の特定までを行うが、応答先基地局までは特定せずに、エリア内共通呼び出し情報を送信するためのタイムスロットに対応する上りタイムスロットを利用して、呼び出されたことに対する応答を返す。その応答を基地局が認識し、エリアごとに割り当てられたタイムスロット群Ｃのエリア内共通呼び出し情報を含むタイムスロットとは別のスロットにて、応答を認識した基地局側から個別に呼び出し端末へ基地局固有の呼び出し情報を送信することが第３の実施形態と異なる点である。
【０１０９】
第４の実施形態では、第２の実施形態と同様に、各エリアとエリアごとに予め割り当てるタイムスロットの対応づけは図１３とする。また、各基地局が基地局固有の制御信号を送信するために使用しているタイムスロット位置に対応する直交符号系列は、第３の実施形態と同様に、図２０のように対応づけられているものとする。
【０１１０】
第４の実施形態でも、第１〜第３の実施形態と同様に、Ｋ＝Ｍの場合を想定して説明する。
【０１１１】
本実施形態の基地局について図２２を参照して説明する。  
本実施形態の基地局は、第３の実施形態の基地局に、相関検出処理部２２０１が追加されたものである。この追加に伴い制御部の処理も追加される。
【０１１２】
相関検出処理部２２０１は、端末からの応答信号に、自分が利用している直交符号系列が含まれるかどうかを相関検出する。
【０１１３】
制御部２２０２は、相関検出処理部２２０１が応答信号に自基地局が利用している直交符号系列が含まれることを検出した場合に、図２３のステップＳ１６０４が行えるように送信タイミングを調整して、適当なタイムスロットで基地局固有の呼び出し情報を送信するように各処理部を制御する。
【０１１４】
なお、本実施形態の端末は、第３の実施形態とほぼ同様であるが、制御部１８０３の動作が少し異なる。すなわち、第４の実施形態の制御部１８０３は、下記の図２３のステップＳ２３０２でその直交符号系列を送信するために特定した直交符号系列自体をセレクタ２０１に入力し、応答に直交符号系列を含むようにして送信を行う。
【０１１５】
エリア内共通呼び出し情報を含むタイムスロットには、図２１のように基地局固有の情報、すなわち直交符号系列が多重されているものとする。ただし、図２１では、全基地局が同一の信号を送信する区間と基地局固有の直交符号系列を送信する区間の多重を時間多重としているが、その他の多重手法として、例えば、タイムスロットの一部サブキャリアを用いて基地局固有の直交符号系列を送信し、残りのサブキャリアで全基地局が同一の呼び出し信号を送信することも可能である。
【０１１６】
第３の実施形態では、端末が基地局へ応答を返すときには、エリア内共通呼び出し情報を含むタイムスロットに多重されている基地局固有の情報を利用して、どの基地局に応答するかを特定した上で送信する。しかし、第４の実施形態では、第３の実施形態で示した、端末が、基地局固有情報に含まれる直交符号を検出することで基地局固有のタイムスロット位置の特定までを行うが、応答先基地局までは特定せずに、エリア内共通呼び出し情報を送信するためのタイムスロットに対応する上りタイムスロットを利用して、呼び出されたことに対する応答を返す。その端末からの応答を基地局が認識し、エリアごとに割り当てられたタイムスロット群Ｃのエリア内共通呼び出し情報を含むタイムスロットとは別のスロットにて、応答を認識した基地局側から個別に呼び出し端末へ基地局固有の呼び出し情報を送信することが第３の実施形態と異なる点である。
【０１１７】
例えば、図１３のエリア＃１であれば、タイムスロットＤ（１）でエリア内共通呼び出し情報をエリア内の全基地局送信し、タイムスロットＤ（５）で呼び出し端末の応答を認識した特定の基地局が基地局固有の呼び出し情報を送信する。
【０１１８】
次に、第４の実施形態における基地局および端末の処理手順の一例について図２３を参照して説明する。一例としてエリア＃１の場合を想定して説明する。  
図１３の中の呼び出しエリアごとに予め決められたタイムスロットＤ（１）でエリア内共通呼び出し情報が送信される（ステップＳ１９０１）。また、このタイムスロットＤ（１）には、呼び出しエリア内共通呼び出し情報に加えて、基地局固有の情報として基地局固有の直交符号系列が多重されて送信されるものとする。
【０１１９】
エリア内共通呼び出し情報を受信した端末は、自分が呼び出されているか否かを確認し、呼び出されている場合には、呼び出された端末は、タイムスロットＤ（１）に多重されている直交符号系列を、相関をとることで検出する（ステップＳ２３０１）。例えば、基地局固有情報検出処理部１８０１、制御部１８０３が、直交符号系列が多重されている時間区間もしくは特定サブキャリア上の信号を抜き出し、その信号と候補となる直交符号系列との相関値がもっとも高い直交符号系列を選択すればよい。
【０１２０】
次に、呼び出された端末ＭＳ１は、タイムスロットＤ（１）に対応する上りタイムスロットを利用して、呼び出しに対する応答の送信を行う（ステップＳ２３０２）。ここで、応答として送信する部分には、ステップＳ２３０１で特定した直交符号系列を送信する（ステップＳ２３０２）。
【０１２１】
ステップＳ２３０２で送信された応答信号は、呼び出し端末ＭＳ１の近くに存在する基地局（図２３ではＢＳ１，２，３）が受信するが、相関検出処理部２２０１が各基地局は自分が使っている直交符号系列を把握しているとすれば、受信した応答信号と基地局が把握している直交符号系列との相関を調べることで、基地局は自分宛か否かを識別できる。ここでは、基地局ＢＳ１が呼び出し端末ＭＳ１からの応答を認識したとする（ステップＳ２３０３）。
【０１２２】
応答を認識したＢＳ１は、エリアごとに呼び出し情報用に予め割り当てられた、図１３のタイムスロットＤ（５）を利用して、基地局ＢＳ１固有の呼び出し情報を端末ＭＳ１に送信する（ステップＳ１６０４）。この基地局固有の呼び出し情報には、基地局ＢＳ１を特定するための固有制御情報、例えば、基地局識別番号などが含まれており、これを受信することで基地局ＢＳ１を特定することができる（ステップＳ１６０５）。
【０１２３】
次に、呼び出された端末ＭＳ１は、ＢＳ１が個別に利用している上りタイムスロットを利用してＢＳ１へ応答する（ステップＳ１１０３）。応答を認識したＢＳ１は、その後ＢＳ１のみが利用している上りおよび下りタイムスロットを利用してＭＳ１と制御情報のやり取りを行うことで通信が確立できる（ステップＳ１１０５）。
【０１２４】
（変形例：呼び出し端末が複数の場合）  
第４の実施形態における図２３の手順では、図２３のステップＳ１９０１で送信されるエリア内共通の呼び出される端末が１台としているが、複数の端末を呼び出す場合も実施可能である。本変形例は、基地局および端末の処理手順（図２３）が異なるだけで、その他は第２の実施形態の変形例と同様である。
【０１２５】
一例として、第２の実施形態の変形例でも示した、エリア内共通の呼び出し情報に２台の呼び出し端末の情報を含まれることを想定し、図２３を参照して説明する。
【０１２６】
図２３のステップＳ１９０１でエリア＃１であれば、エリア内の全端末は、タイムスロットＤ（１）のエリア内共通の呼び出し情報を読んで、呼び出されたか否かを確認する（ステップＳ２３０１）。呼び出された２台の端末は、エリア内共通の呼び出し情報でそれぞれ指定されたサブスロット番号に対応するＵ（１）のサブスロットでそれぞれの端末が応答を送信する（ステップＳ２３０２）。
【０１２７】
次に、例えばエリア＃１であれば、ステップＳ２３０３で呼び出し端末からの応答を認識した各基地局は、それぞれ呼び出した端末に対応するサブスロットにて、呼び出し端末への個別の呼び出し情報を送信する（ステップＳ１６０４）。
【０１２８】
次に、呼び出された端末は、タイムスロットＤ（５）におけるそれぞれの端末で指定されたサブスロット部分を受信することで応答先基地局が特定できる（ステップＳ１６０５）。図２３のステップＳ１１０３以降は、呼び出し端末ごとにそれぞれ独立に進められること以外は呼び出し端末が１つの場合の第４の実施形態の手順と同様である。
【０１２９】
以上の第４の実施形態によれば、図１３のようにエリアごとに共通のタイムスロットを割り当てることで、基地局ごとに呼び出し情報を送信するためのタイムスロットを確保する場合に比べて周波数利用効率が良い。さらに、エリア内に含まれる基地局数が多くなるほどタイムスロットを共用することによる周波数利用効率の向上が見込める。さらに、基地局がそれぞれ独立に使用しているタイムスロットで端末呼び出し情報を多重する場合と比較して、端末呼び出し情報が送信される周期を短くすることができるため、端末呼び出しから通信を開始するまでに要する時間を削減することが可能となる。
【０１３０】
また、エリア内共通呼び出し情報を送信しているタイムスロットに多重されている基地局固有の情報を検出し、その検出した情報を基地局に応答信号として送信することで、応答先基地局の特定処理を基地局側に行わせることができる。これにより、呼び出し手続きにおける端末側の処理を軽減できる。  
また、一度に呼び出す端末が複数台であっても、本実施形態のようにサブスロットを利用することで、図２３と同様な手順で効率的に端末の呼び出しを実現できる。
【０１３１】
（補足）  
第１から第４の実施形態では、エリアごとに固定的に割り当てられたタイムスロットで同じエリア内の複数端末に向けて端末呼び出し情報を送信していたが、呼び出し情報以外に、複数端末に同時に報知する制御情報や放送番組などのマルチキャスト配信のために利用することも可能である。
【０１３２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１３３】
【図１】第１の実施形態の基地局のブロック図。
【図２】第１の実施形態の端末のブロック図。
【図３】実施形態のフレームを構成する上りおよび下りスロットの構成を示す図。
【図４】実施形態の制御用スロットのタイムスロット中での配置を示す図。
【図５】実施形態の各基地局が配置される各セルと各エリアを示す図。
【図６】図５に示したエリアごとに割り当てられるスロット群Ｃとスロット群Ｂと基本周期単位Ａとの関係を示す図。
【図７】基地局固有の制御情報を送信するためのタイムスロットの周期と図６の基本周期単位Ａとの関係を示す図。
【図８】基地局固有の制御情報を送信するためのタイムスロットの周期と図６の基本周期単位Ａとの関係を示す図。
【図９】各エリアに１つのスロットを割り当てる一例を示す図。
【図１０】図９のスロット割り当ての場合に呼び出しエリア中心とエリア境界でのスロットの使用率を示す図。
【図１１】第１の実施形態における基地局および端末の処理手順の一例を示すフローチャート。
【図１２】第２の実施形態の基地局のブロック図。
【図１３】各エリアに２つのスロットを割り当てる一例を示す図。
【図１４】図１３のスロット割り当ての場合に呼び出しエリア中心とエリア境界でのスロットの使用率を示す図。
【図１５】エリア内の全基地局を統括制御する基地局制御局とエリアを示す図。
【図１６】第２の実施形態における基地局、端末および基地局制御局の処理手順の一例を示すフローチャート。
【図１７】第３の実施形態の基地局のブロック図。
【図１８】第３の実施形態の端末のブロック図。
【図１９】第３の実施形態における基地局および端末の処理手順の一例を示すフローチャート。
【図２０】基地局固有の情報として基地局に個別に割り当てられる直交符号系列を示す図。
【図２１】１タイムスロットに含まれる、エリア内全基地局同一信号と基地局固有信号を示す図。
【図２２】第４の実施形態の基地局のブロック図。
【図２３】第４の実施形態における基地局および端末の処理手順の一例を示すフローチャート。
【符号の説明】
【０１３４】
１０１・・・変調処理部、１０２、２０１・・・セレクタ、１０３、２０２、１７０１・・・データ多重処理部、１０４・・・ＩＦＦＴ処理部、１０５・・・サイクリックプリフィックス付加処理部、１０６、２０４・・・Ｄ／Ａ変換部、１０７・・・ＲＦ無線部（送信系）、１０８、２０６・・・送受信アンテナ、１１０、２０８・・・Ａ／Ｄ変換部、１１１・・・ベースバンド復調処理部、１１２・・・データ復号処理部、１１３、２１３、１２０２、１７０３、１８０３、２２０２・・・制御部、２０３・・・ベースバンドデータ変調処理部、２０９・・・サイクリックプリフィックス除去処理部、２１０・・・ＦＦＴ処理部、２１１・・・データ分離処理部、２１２・・・復調処理部、７０１、８０１・・・タイムスロットＥ周期、１２０１・・・応答検出処理部、７０２、８０２・・・基本周期単位Ａ、１５０１・・・基地局制御局、１７０２、１８０２・・・記憶装置、１８０１・・・基地局固有情報検出処理部、２１０１・・・エリア内同一信号送信時間区間、２１０２・・・基地局固有信号送信時間時間区間、２２０１・・・相関検出処理部。
【図１】
2008244654.tif 000003
【図２】
2008244654.tif 000004
【図３】
2008244654.tif 000005
【図４】
2008244654.tif 000006
【図５】
2008244654.tif 000007
【図６】
2008244654.tif 000008
【図７】
2008244654.tif 000009
【図８】
2008244654.tif 000010
【図９】
2008244654.tif 000011
【図１０】
2008244654.tif 000012
【図１１】
2008244654.tif 000013
【図１２】
2008244654.tif 000014
【図１３】
2008244654.tif 000015
【図１４】
2008244654.tif 000016
【図１５】
2008244654.tif 000017
【図１６】
2008244654.tif 000018
【図１７】
2008244654.tif 000019
【図１８】
2008244654.tif 000020
【図１９】
2008244654.tif 000021
【図２０】
2008244654.tif 000022
【図２１】
2008244654.tif 000023
【図２２】
2008244654.tif 000024
【図２３】
2008244654.tif 000025